(57)【特許請求の範囲】
【請求項１】
上下に対向移動して筒状フィルム(F)中の物品(W)の搬送方向における前後で筒状フィルム(F)に横シールと切断を施して包装体(16)を得る一対のシール体(12,14)と、
該シール体(12,14)の下流側に配設された搬出コンベヤ(20)と、
前記シール体(12,14)で横シールを施して包装体(16)の前後に耳部(16d,16d)を形成する際に、該耳部(16d,16d)に折り癖(16e,16e)を付与する癖付け手段(26,26)と、
前記一対のシール体(12,14)と前記搬出コンベヤ(20)の上流端部との間において前記物品(W)の搬送路内の作動位置に進退するよう上下動する後耳折り体(30)と、
一包装体(16)における前後の耳部(16d,16d)の間隔分だけ前記後耳折り体(30)の作動位置より下流側で前記物品(W)の搬送路内の作動位置に進退するよう上下動する前耳折り体(34)とを備え、
前記一対のシール体(12,14)は、筒状フィルム(F)を挟持した状態で下流側に所要距離だけ移動してから相互に離間移動しながら下流側へ移動した後、上流側に移動するよう構成され、
前記前後の耳折り体(30,34)は、前記一対のシール体(12,14)が相互に離間移動しながら下流側に移動するタイミングで前記作動位置に進出して、一対のシール体(12,14)が相互に離間移動しながら下流側に移動する際の移動速度より速い速度で前記搬出コンベヤ(20)によって搬送されるシール直後の包装体(16)の前後の耳部(16d,16d)を各折り癖(16e)から折り曲げると共に、該前後の耳部(16d,16d)を折り曲げた状態に保持したまま前記シール体(12,14)と一体的に搬送方向下流側へ移動するよう構成した
ことを特徴とする横形製袋充填機。
【請求項２】
前記包装体(16)の後側の耳部(16d)を折り曲げる前記後耳折り体(30)は、両シール体(12,14)がフィルムを解放した直後に作動位置に進出して下流側に移動するよう構成した請求項１記載の横形製袋充填機。
【請求項３】
前記筒状フィルム(F)は、上面側に縦シール部(16a)が形成され、前記前後の耳折り体(30,34)は、作動位置に下側から進出して前後の耳部(16d,16d)を上側に折り曲げるよう構成した請求項１または２記載の横形製袋充填機。
【請求項４】
前記前後の耳折り体(30,34)の間隔を調節可能に構成した請求項１〜３の何れか一項に記載の横形製袋充填機。
【請求項５】
前記前後の耳折り体(30,34)が作動位置に進出するタイミングを可変可能に構成した請求項１〜４の何れか一項に記載の横形製袋充填機。
【発明の詳細な説明】
【技術分野】
【０００１】
本発明は、物品を包装した包装体における前後の耳部を折り曲げることができる横形製袋充填機に関するものである。
【背景技術】
【０００２】
筒状フィルム中に所定間隔毎に供給された物品の前後位置におけるフィルムに横シール・切断を施して包装体を製造する横形製袋充填機において、包装体を箱詰めし易くする対策として、横シール・切断されて後続の未包装体から切離された包装体における物品収容部から外方に延在する横シール部(耳部)を折り曲げることが行なわれている(例えば、特許文献１参照)。特許文献１の横形製袋充填機では、物品が供給された筒状フィルムを回転シーラに相当する回転体で横シール・切断する際に、耳部に折り癖を付け、回転体から下流側に搬送された位置で包装体における後側の耳部を折り曲げ、更に下流側に搬送された位置で包装体における前側の耳部を折り曲げることで、前後両側の耳部が折り曲げられた包装体を得るようにしている。
【先行技術文献】
【特許文献】
【０００３】
【特許文献１】実開昭５５−１７３４０２号公報
【発明の概要】
【発明が解決しようとする課題】
【０００４】
前記特許文献１の横形製袋充填機では、後側の耳部と前側の耳部とを離間した位置において別々に折り曲げているので、各耳部を折り曲げる際に包装体が搬送方向の前後に移動するのを規制する部材を別途設ける必要があり、構成が複雑になる難点がある。また、各耳部の折り曲げ位置が横シール位置から離間しているため、包装体が耳部の折り曲げ位置に到来するまでの間に、回転体によって加熱形成された折り癖の部分の温度が低下してしまう。すなわち、加熱により軟化した折り癖の部分が、温度低下によってフィルム自体が有する初期の復元力(弾性)を取り戻してしまい、耳部を折り癖の部分から折り曲げても復元力によって元の形状に戻ってしまうおそれがある。特に、厚手で腰のあるフィルム、あるいはアルミ箔層が積層された腰の強いフィルムでは、折り曲げた際の復元力も大きいため、耳部の折り曲げが不十分となる可能性が高くなる。
【０００５】
すなわち本発明は、従来の技術に係る横形製袋充填機に内在する前記課題に鑑み、これを好適に解決するべく提案されたものであって、簡単な構成で前後の耳部が折り曲げられた状態を維持した包装体を得ることができる横形製袋充填機を提供することを目的とする。
【課題を解決するための手段】
【０００６】
前記課題を克服し、所期の目的を達成するため、請求項１の発明に係る横形製袋充填機は、
上下に対向移動して筒状フィルム中の物品の搬送方向における前後で筒状フィルムに横シールと切断を施して包装体を得る一対のシール体と、
該シール体の下流側に配設された搬出コンベヤと、
前記シール体で横シールを施して包装体の前後に耳部を形成する際に、該耳部に折り癖を付与する癖付け手段と、
前記一対のシール体と前記搬出コンベヤの上流端部との間において前記物品の搬送路内の作動位置に進退するよう上下動する後耳折り体と、
一包装体における前後の耳部の間隔分だけ前記後耳折り体の作動位置より下流側で前記物品の搬送路内の作動位置に進退するよう上下動する前耳折り体とを備え、
前記一対のシール体は、筒状フィルムを挟持した状態で下流側に所要距離だけ移動してから相互に離間移動しながら下流側へ移動した後、上流側に移動するよう構成され、
前記前後の耳折り体は、前記一対のシール体が相互に離間移動しながら下流側に移動するタイミングで前記作動位置に進出して、一対のシール体が相互に離間移動しながら下流側に移動する際の移動速度より速い速度で前記搬出コンベヤによって搬送されるシール直後の包装体の前後の耳部を各折り癖から折り曲げると共に、該前後の耳部を折り曲げた状態に保持したまま前記シール体と一体的に搬送方向下流側へ移動するよう構成したことを特徴とする。
【０００７】
請求項２に係る発明では、前記包装体の後側の耳部を折り曲げる前記後耳折り体は、両シール体がフィルムを解放した直後に作動位置に出現して下流側に移動するよう構成したことを特徴とする。
【０００８】
請求項３に係る発明では、前記筒状フィルムは、上面側に縦シール部が形成され、前記前後の耳折り体は、作動位置に下側から進出して前後の耳部を上側に折り曲げるよう構成したことを特徴とする。
【０００９】
請求項４に係る発明では、前記前後の耳折り体の間隔を調節可能に構成したことを特徴とする。
【００１０】
請求項５に係る発明では、前記前後の耳折り体が作動位置に進出するタイミングを可変可能に構成したことを特徴とする。
【発明の効果】
【００１１】
請求項１に係る発明によれば、前後の耳部の間隔分だけ離間する前後の耳折り体で包装体を前後から挟んだ状態で前後の耳部を折り曲げるよう構成したので、耳部の折り曲げに際して包装体が前後に移動するのを規制する部材を別途設ける必要はなく、構成を簡略化し得る。また、シール体により加熱されて軟化した耳部が初期の復元力を取り戻す前に、該耳部を折り癖の部分を基点として折り曲げることができ、前後の耳部が折り曲げられた状態を維持した包装体が得られる。すなわち、フィルムとして腰の強い素材を用いる場合であっても、耳部が確実に折り曲げられた状態を維持した包装体を製造し得る。
また、前後の耳折り体は、作動位置から耳部を折り曲げた状態に保持したまま、シール体と一体的に搬送方向下流側に移動するので、その移動の間に折り癖の温度が低下して、前後の耳部は折り曲げ状態を確実に維持し得るようになると共に、包装体の搬送を停止することなく連続包装を行うことができる。
請求項２に係る発明によれば、シール体によるフィルムへの加熱終了直後に後耳折り体で折り曲げた耳部を、温度が低下するまで折り曲げ状態に保持することができ、耳部の折り曲げ状態は確実に維持される。
請求項３に係る発明によれば、包装体における縦シール部が形成された面側に耳部を折り曲げるので、反対面側の見栄えを良好にすることができる。
請求項４に係る発明によれば、包装体のサイズ変更に簡単に対応し得る。
請求項５に係る発明によれば、前後の耳部の長さの違い等に応じて、各耳部を最適なタイミングで折り曲げることができる。
【図面の簡単な説明】
【００１２】
【図１】(ａ)は実施例に係る横形製袋充填機の要部概略側面図であり、(ｂ)は(ａ)におけるＡ部分の拡大図である。
【図２】実施例に係る横形製袋充填機の要部概略側面図であって、(ａ)は一対のシール体が噛合して筒状フィルムに横シールを施す状態を示し、(ｂ)は前後の耳折り体で耳部を折り曲げた状態を示し、(ｃ)は耳折り体で耳部が折り曲げられる部位を拡大して示している。
【図３】実施例に係る横形製袋充填機で得られた包装体を示す概略斜視図である。
【発明を実施するための形態】
【００１３】
次に、本発明に係る横形製袋充填機につき、好適な実施例を挙げて、添付図面を参照しながら以下説明する。なお、実施例において、上流・下流とは、搬送コンベヤ１８および搬出コンベヤ２０で搬送される物品Ｗおよび筒状フィルムＦの搬送方向との関係で指称する。
【実施例】
【００１４】
横形製袋充填機は、製袋手段で筒状に成形された筒状フィルムＦの長手方向の重合端縁部に縦シール機構で連続的に縦シールを施しつつ、給送手段により筒状フィルムＦを下流側に向けて搬送する。また、製袋手段で成形された筒状フィルムＦ内へ供給手段によって物品Ｗが所定間隔毎に供給され、筒状フィルムＦにおける物品Ｗの前方(下流側)および後方(上流側)に、横シール機構１０における横シール手段としての上下一対のシール体１２,１４で横シール・切断することで包装体１６が得られる。なお、製袋手段、縦シール機構、給送手段および供給手段は図示していない。実施例では、物品Ｗの給送ラインより下方から帯状フィルムが製袋手段に供給され、帯状フィルムの幅方向両端部が給送ラインの上方(物品Ｗの上側面)で合掌状に重合され、包装体１６において上側面(一方の面)に縦シール部１６ａが現われるようになっている(図３参照)。
【００１５】
図１(ａ)に示す如く、前記横シール機構１０を挟んで上流側に搬送コンベヤ１８が配設されると共に、下流側には搬送コンベヤ１８と搬送レベルを一致させた搬出コンベヤ２０が直列に配設される。横シール機構１０は、搬送コンベヤ１８と搬出コンベヤ２０との間において、筒状フィルムＦの搬送路を挟んで第１シール体１２と第２シール体１４とが上下に対向して配設され、両シール体１２,１４は、第１駆動手段で作動する公知の第１作動機構(何れも図示せず)によって相対的に接近・離間移動するよう構成される。そして、両シール体１２,１４が相互に接近して筒状フィルムＦを所要時間挟持(噛合)することで、該フィルムＦの搬送方向と交差する幅方向に横シールを施すよう構成される。
【００１６】
前記一対のシール体１２,１４は、第２駆動手段で作動する公知の第２作動機構(何れも図示せず)によってフィルムの搬送方向に沿って進退移動するよう構成される。そして、第１作動機構および第２作動機構を同期して作動させることで一対のシール体１２,１４は、上流側で筒状フィルムＦから最も離間した位置から相互に接近して筒状フィルムＦを挟持しながら下流側に向けて所要距離だけ水平移動した後に、相互に離間して再び上流側に向けて移動して元の位置に復帰する動作を１サイクルとした、所謂ボックスモーション動作を繰り返す。なお、１サイクルにおける上下のシール体１２,１４の移動軌跡は略楕円状となり、両シール体１２,１４は、相互に離間しつつ所定距離だけ下流側に移動し、夫々のシール体１２,１４が最も離間する距離の２分の１程度離間する頃から上流側に戻るようになっている。また、シール体１２,１４で筒状フィルムＦを挟持してから離間するまでの所要のタイミングで、一方のシール体１２の前後方向における中央位置に配設されたカッタ(図示せず)が作動して筒状フィルムＦを横断する方向(幅方向)に切断する。これにより得られた包装体１６は、物品Ｗを収容する物品収容部１６ｂの前後両側に耳部１６ｄが夫々形成される。夫々の耳部１６ｄには、後述する癖付け手段２６,２６による折り癖１６ｅが形成されると共に、該折り癖１６ｅより外方に横シール部１６ｃが形成されている。
【００１７】
図１(ｂ)に示す如く、前記シール体１２,１４における対向するシール面を挟む上流側(後方)および下流側(前方)の各側に、上下で対向する凹部と凸部とからなる癖付け手段２６が夫々設けられており、両癖付け手段２６,２６の幅寸法は、筒状フィルムＦの幅寸法より長く設定される。そして、両癖付け手段２６,２６は、シール体１２,１４と共に加熱され、筒状フィルムＦにおける収容されている物品Ｗ,Ｗ間の部位をシール体１２,１４が挟持したときに、その横シール位置の上流側および下流側で前記物品収容部１６ｂとの間(物品Ｗ,Ｗ間)を挟持して横シール部１６ｃに沿う横断方向の折り癖１６ｅを幅方向の全長に亘って付与するよう構成される。
【００１８】
前記搬送コンベヤ１８および搬出コンベヤ２０は、物品Ｗの搬送中においても、搬送コンベヤ１８の搬送下流端および搬出コンベヤ２０の搬送上流端が、搬送方向の前後に移動して各搬送距離が変わるよう、無端ベルト２２を巻掛けた一部のローラをフレーム(図示せず)の一部と一体移動させる周知のスライド機構を有するコンベヤからなり、搬出コンベヤ２０の搬送速度は、搬送コンベヤ１８の搬送速度よりも高速となるよう設定される。
【００１９】
前記搬送コンベヤ１８の搬送下流端および搬出コンベヤ２０の搬送上流端は、案内カム機構２４を介してスライド機構が横シール機構１０と連繋することで、該横シール機構１０における下側の第２シール体１４に同期して搬送方向に往復動するよう構成されると共に、第２シール体１４の上下動に対応して離間・接近するよう周知の開閉機構が採用される。本実施例の開閉機構は、第２シール体１４が最下点に位置した状態では、搬送コンベヤ１８の搬送下流端が搬出コンベヤ２０の搬送上流端に近接して、筒状フィルムＦに収容されている物品Ｗの両コンベヤ１８,２０の対向部間の受渡しを良好に行なわせ、また第２シール体１４の上昇移動に連繋して搬送下流端が搬送上流端から離間して、第２シール体１４の上昇移動を許容する隙間を両コンベヤ１８,２０の対向部間に形成するよう構成される。
【００２０】
図１(ａ)に示す如く、前記第２シール体１４の下流側に、エアシリンダ等の第１シリンダ２８に連結された後耳折り体３０が配設される。後耳折り体３０は、第２シール体１４と搬出コンベヤ２０の搬送上流端間の隙間において、第１シリンダ２８によって搬出コンベヤ２０の搬送面より下方(筒状フィルムＦの搬送路外)の待機位置と搬送面より上方に突出して搬送路に出現する作動位置との間を上下動するよう構成されている(図２(ａ),(ｂ)参照)。後耳折り体３０は、第２シール体１４における下流側(前方)の側面の直近で上下動し得るように配設されており、第２シール体１４と共に搬送方向に移動するよう構成されている。また後耳折り体３０は、金属製で筒状フィルムＦの幅寸法より長い幅寸法の平板状に形成されて、待機位置から作動位置へ移動する際に、包装体１６における後側(搬送方向上流側)の耳部１６ｄに幅方向の全長に亘って当接した状態で該耳部１６ｄを上側に向けて折り曲げるよう構成される。
【００２１】
図１(ａ)に示す如く、前記搬出コンベヤ２０には、前記無端ベルト２２を巻掛けた複数の間隔調節ローラ３２と、前耳折り体３４およびエアシリンダ等の第２シリンダ３６とを備えた調節ユニット３８が配設される。間隔調節ローラ３２は、前述したスライド機構によって搬送方向にフレーム(図示せず)の一部と共に移動可能であり、無端ベルト２２が巻掛けられた状態で、搬出コンベヤ２０の搬送面に物品Ｗの搬送に支障が生じない空所Ｓ１を画成すると共に、該空所Ｓ１に連通して下方に凹形状となる収容空間Ｓ２を無端ベルト２２で画成するように配置される。前記第２シリンダ３６が収容空間Ｓ２に配置されると共に、該第２シリンダ３６に前耳折り体３４が連結されている。そして、前耳折り体３４は、前記空所Ｓ１において、第２シリンダ３６によって搬出コンベヤ２０の搬送面より下方(筒状フィルムＦの搬送路外)の待機位置と搬送面より上方に突出して搬送路に出現する作動位置との間を上下動するよう構成される(図２(ａ),(ｂ)参照)。また前耳折り体３４は、金属製で筒状フィルムＦの幅寸法より長い幅寸法の平板状に形成されて、待機位置から作動位置へ移動する際に、包装体１６における前側(搬送方向下流側)の耳部１６ｄに幅方向の全長に亘って当接した状態で該耳部１６ｄを上側に向けて折り曲げるよう構成される。
【００２２】
前記後耳折り体３０と前耳折り体３４との間隔は、図２(ｂ),(ｃ)に示す如く、後耳折り体３０が後側の耳部１６ｄに当接して上側に折り曲げている状態で、前耳折り体３４が前側の耳部１６ｄに当接して上側に折り曲げることができる長さに設定される。実施例では、包装体１６の前後の耳部１６ｄ,１６ｄに形成される前後の折り癖１６ｅ,１６ｅの離間間隔より僅かに大きく設定される。また、前記調節ユニット３８は、コンベヤフレームに対して搬送方向に沿って前後に移動調節して位置決め保持し得るよう構成され、前記空所Ｓ１と前耳折り体３４との位置関係を保持したまま後耳折り体３０との間隔を調節し得るようになっている。
【００２３】
前記搬出コンベヤ２０の上方に、該搬出コンベヤ２０の搬送上流端と一体的に搬送方向に移動する押え部材４０が配設される。押え部材４０は、エアシリンダ等の第３シリンダ４２に連結され、該第３シリンダ４２によって下面が搬出コンベヤ２０の搬送面に近接する作動位置および筒状フィルムＦの搬送路より上側に離間した待機位置の間を上下動するよう構成される。押え部材４０は、スポンジや軟質合成樹脂等の弾性変形可能な材料でブロック状等、包装体１６の形状に対応した形状とされ、作動位置において搬出コンベヤ２０の搬送面に載置されている物品Ｗを筒状フィルムＦと共に上側から軽く押え得るよう構成される。
【００２４】
次に、前述した実施例に係る横形製袋充填機の作用につき説明する。
【００２５】
所定間隔毎に物品Ｗが収容された筒状フィルムＦは、前記搬送コンベヤ１８に載置されて横シール機構１０に向けて搬送される。前記一対のシール体１２,１４が相互に離間する位置から接近する過程において、筒状フィルムＦに収容された物品Ｗが搬送コンベヤ１８と搬出コンベヤ２０との対向部を通過した後に、前記開閉機構によって搬送コンベヤ１８および搬出コンベヤ２０の対向する端部が離間し、前記第２シール体１４の上昇移動を許容する隙間を画成する。
【００２６】
前記一対のシール体１２,１４が筒状フィルムＦを挟持する前のタイミングにおいて、前記第３シリンダ４２によって押え部材４０が待機位置から作動位置に移動し、該押え部材４０によって物品Ｗが筒状フィルムＦと共に上側から搬出コンベヤ２０の搬送面に軽く押し付けられる(図２(ａ)参照)。その後、一対のシール体１２,１４は、筒状フィルムＦの物品Ｗ,Ｗ間を挟持する。また、シール体１２,１４に設けて加熱された前記癖付け手段２６,２６が、筒状フィルムＦにおけるシール体１２,１４による挟持位置(横シール位置)の上流側および下流側で物品収容部１６ｂとの間を挟持する(図１(ｂ)参照)。一対のシール体１２,１４で筒状フィルムＦが挟持される際には、図２(ａ)に示す如く、物品Ｗは前記押え部材４０によって搬送面に押え付けられているので、フィルムが両シール体１２,１４により上流側に引っ張られる力に起因して、物品Ｗの前方の浮き上がり等により生ずる物品Ｗの位置ズレ等が防止される。なお、一対のシール体１２,１４が筒状フィルムＦを挟持した後のタイミングで、前記第３シリンダ４２によって押え部材４０が作動位置から待機位置へ移動して物品Ｗを解放する。
【００２７】
前記一対のシール体１２,１４が、挟持した状態で筒状フィルムＦと所要距離だけ略水平に移動している間に、筒状フィルムＦに横シール部１６ｃが形成されると共に前記カッタにより切断され、これにより前記物品収容部１６ｂから外方に延在する耳部１６ｄが形成される。また、筒状フィルムＦにおける前記癖付け手段２６,２６による挟持位置には、幅方向に亘って線状の折り癖１６ｅが夫々付与される。
【００２８】
そして、前記一対のシール体１２,１４が相互に離間移動して筒状フィルムＦを解放すると共に押え部材４０が待機位置へ向けて移動し始めると、横シール・切断の施された包装体１６は、高速で運転されている搬出コンベヤ２０により後続の未包装品から確実に切離され(図２(ｂ)参照)、また相互に離間移動しながら下流側に移動し続けている両シール体１２,１４より速く前進する。包装体１６が下流側に向けて所定距離前進するのに伴って、予め位置決め設定された前記後耳折り体３０の配設位置との関係で決定される適切なタイミングで、押え部材４０が再び作動位置に移動し、包装体１６を搬出コンベヤ２０の搬送面に所定時間だけ押し付けると共に、前記第１シリンダ２８および第２シリンダ３６が略同時に付勢されて、前記後耳折り体３０および前耳折り体３４が略同時に待機位置から作動位置に移動する。これによって、包装体１６における前後の耳部１６ｄ,１６ｄに対して対応する耳折り体３０,３４の先端が、折り癖１６ｅ,１６ｅより先端側(物品収容部１６ｂから離間する側)に当接し、該耳部１６ｄ,１６ｄは包装体１６の仕上がり後の見栄え等が考慮されて、折り癖１６ｅ,１６ｅの部分を基点として縦シール部１６ａが位置する上側に折り曲げられる(図２(c)参照)。この折り癖１６ｅの部分は、シール体１２,１４と共に温度上昇している癖付け手段２６,２６により加熱されて軟化しているから、対応する耳折り体３０,３４によって容易に折り曲げられる。また、耳部１６ｄが折り曲げられた状態で、該耳部１６ｄに接触している金属製の耳折り体３０,３４によって前記折り癖１６ｅが冷されることで、その折り曲げ状態は確実に維持される。
【００２９】
なお、シール体１２,１４が包装体１６を切り離して、少なくとも、両シール体１２,１４が最も離間するまでに耳折り体３０,３４が包装体１６の前後の耳部１６ｄ,１６ｄに当接すれば、軟化状態が継続していることから、耳折り体３０,３４によって折り曲げることが可能である。本実施例では、シール体１２,１４が包装体１６を切り離してから、包装体１６が所定距離前進した早期タイミング(シール体１２,１４がフィルムを解放した直後)で、耳折り体３０,３４がシール直後の包装体１６の耳部１６ｄ,１６ｄに当接し、両シール体１２,１４が最も離間する距離の略２分の１程離間するまで耳折り体３０,３４が継続して搬送路に出現して耳部１６ｄ,１６ｄに当接することで、耳部１６ｄ,１６ｄを容易に折り曲げることができる。すなわち、前後の耳部１６ｄ,１６ｄは、癖付け手段２６,２６により加熱形成された折り癖１６ｅ,１６ｅの温度が低下して初期の復元力が戻る前に、該折り癖１６ｅ,１６ｅの部分を基点として折り曲げられるので、耳折り体３０,３４から解放された耳部１６ｄ,１６ｄが復元力によって元の状態に戻るのは抑制され、前後の耳部１６ｄ,１６ｄが折り曲げ状態を維持した図３に示す包装体１６を確実に得ることができる。従って、フィルムとして腰の強い素材を用いた場合であっても、包装体１６における耳部１６ｄ,１６ｄの折り曲げ状態を維持させ得る。また、前後の耳折り体３０,３４は、作動位置から耳部１６ｄ,１６ｄを折り曲げた状態に保持したまま、前記シール体１２,１４と一体的に搬送方向下流側に移動するので、その移動の間に折り癖１６ｅ,１６ｅの温度が低下して、耳部１６ｄ,１６ｄは折り曲げ状態を確実に維持し得るようになると共に、包装体１６の搬送を停止することなく連続包装を行ない得る。
【００３０】
前後の耳折り体３０,３４によって対応する耳部１６ｄ,１６ｄが上側に向けて折り曲げられる際には、図２(ｂ)に示す如く、物品Ｗと共に筒状フィルムＦが押え部材４０で搬送面に押し付けられているので、物品収容部１６ｂが持ち上げられることなく耳部１６ｄ,１６ｄのみを押し上げて確実に折り曲げることができる。
【００３１】
実施例の横形製袋充填機は、前記シール体１２,１４の下流側に近接した位置において、一対の耳折り体３０,３４によって包装体１６を前後から挟んだ状態で対応する耳部１６ｄ,１６ｄを折り曲げるので、耳部１６ｄを折り曲げる際に包装体１６が搬送方向の前または後に移動するのを耳折り体３０,３４で規制することができ、耳部１６ｄを確実に折り曲げ得る。すなわち、包装体１６が搬送方向の前後に移動するのを規制する専用の部材を配設する必要はなく、構成を簡略化し得る。
【００３２】
前記前耳折り体３４は、調節ユニット３８によって後耳折り体３０との間隔を調節可能に構成されているので、物品Ｗの前後サイズが変更された際には、調節ユニット３８を移動調節することで、包装体１６における前後の耳部１６ｄ,１６ｄに対し、折り癖１６ｅ,１６ｅの部分を基点として折り曲げることができる適正位置に耳折り体３０,３４を当接させ得る。また、実施例の後耳折り体３０および前耳折り体３４は、夫々独立したシリンダ２８,３６によって作動するよう構成してあるので、各耳折り体３０,３４を異なるタイミングで作動位置に移動させることができる。例えば、前後の耳部１６ｄ,１６ｄの長さが異なる場合等に、前後何れか一方の耳部１６ｄを先行して折り曲げる場合にも簡単に対応し得る。
【００３３】
(変更例)
本発明は実施例の構成に限定されず、例えば以下のようにも変更可能である。
(1) 一対のシール体１２,１４の接近・離間移動と、搬送方向に沿った移動とを単一の駆動手段で両作動機構を作動するよう構成し得る。そして、単一の駆動手段で作動する場合は、一対のシール体１２,１４の作動機構として遊星歯車機構等を用いることで、一対のシール体１２,１４の移動軌跡を略矩形等、種々な軌跡とすることができる。
(2) 一対のシール体１２,１４を搬送方向に移動させることなく筒状フィルムＦを間欠停止したときに定位置で上下に接近・離間移動するタイプの横シール機構等であってもよい。この場合に、後耳折り体３０を別の駆動手段によって、シール体１２,１４とは独立して搬送方向に進退移動するようにしてもよい。
(3) 前後の耳折り体３０,３４を搬出コンベヤ２０の上側から搬送路に対して進退させる構成を採用し得る。また、耳折り体３０,３４の駆動手段としては、モータとラック・ピニオン機構やリンク機構等を組合わせた手段等を採用し得る。なお、前後の耳折り体３０,３４を、単一の駆動手段で作動する構成とすることができる。
(4) 後耳折り体３０を、シール体１２,１４に干渉しないように搬出コンベヤ２０に配設する構成を採用し得る。この場合に、搬出コンベヤ２０における搬送上流端と一体に移動する部分に後耳折り体３０を配設する構成の他、該後耳折り体３０を別の駆動手段によって搬送方向に進退移動するようにしてもよい。
(5) 前後の耳折り体３０,３４の厚さ、材質、形状等は任意に変更可能であり、例えばフィルムに当接する先端が先細り形状や円弧状等、折り曲げるフィルムの材質等によって最適なものを採用すればよい。
(6) 調節ユニット３８は、手動操作によって位置調節する構成に限らず、モータ等の駆動手段を用いた自動調節形態としてもよい。
(7) 横シール機構１０を挟む前後のコンベヤとしてローラコンベヤ、押送コンベヤ等、各種形態のコンベヤを採用し得る。
(8) 縦シール部１６ａが包装体１６の下側面に現われる形態の横形製袋充填機であってもよく、このように縦シール部１６ａが包装体１６の下側面に現われる形態では、耳部１６ｄ,１６ｄを、搬出コンベヤ２０の上側に設けた耳折り体３０,３４で下側に向けて折り曲げる構成を採用することで、必要に応じて耳折り体３０,３４が耳部１６ｄ,１６ｄに当接する際に押え部材４０で包装体１６を押える処理を省略し得ると共に、包装体１６の一方の面の見栄えを良好とし得る。なお、耳部１６ｄ,１６ｄを、縦シール部１６ａが現われる面とは反対側に折り曲げる形態も採用し得る。
(9) 押え部材４０としては、ベルトコンベヤ等、包装体１６の搬送に伴って当接部分が移動するものであってもよい。
(10) 実施例の横形製袋充填機は、フィルムとして腰が強い素材を用いる場合に好適であるが、軟質な素材を用いる場合にも利用し得ることは勿論である。
上記した変更例に限らず、実施形態に記載した構成については、本発明の主旨を逸脱しない範囲でその他の各種構成を採用し得る。
【符号の説明】
【００３４】
１２ 第１シール体(シール体)，１４ 第２シール体(シール体)，１６ 包装体
１６ａ 縦シール部，１６ｂ 物品収容部，１６ｃ 横シール部，１６ｄ 耳部
１６ｅ 折り癖，２０ 搬出コンベヤ，２６ 癖付け手段，３０ 後耳折り体
３４ 前耳折り体，Ｆ 筒状フィルム，Ｗ 物品
【図１】
0005762824.tif 000002
【図２】
0005762824.tif 000003
【図３】
0005762824.tif 000004